(57)【要約】【課題】価格及び収益機会を最大にするデジタル広告プラットフォームを提供する。【解決手段】デジタル広告システムは、入札及び格付け情報を有する少なくとも１つの広告の収益を表示して最適化するためのデジタル広告システムであって、少なくとも１つの表示装置であり、プロセッサと、メモリと、少なくとも１つの表示装置の属性を含むプロファイルとを有する少なくとも１つの表示装置と、少なくとも１つの広告と関連付けられる前記入札及び格付け情報を受信するとともに、プロファイルと入札及び格付け情報とを使用して、少なくとも１つの表示装置における少なくとも１つの広告の配置を決定するようになっている広告プラットフォームと、広告プラットフォームと少なくとも１つの表示装置との間のデータ及び制御の流れを司るために広告プラットフォーム及び少なくとも１つの表示装置に安全にアクセスするようになっているエクスチェンジとを備える。
2017527010.tif 000002
【特許請求の範囲】
【請求項１】
入札及び格付け情報を有する少なくとも１つの広告の収益を表示して最適化するデジタル広告システムであって、
少なくとも１つの表示装置であって、プロセッサと、メモリと、前記少なくとも１つの表示装置の属性を含むプロファイルと、を有する少なくとも１つの表示装置と、
前記少なくとも１つの広告と関連付けられる前記入札及び格付け情報を受信するとともに、前記少なくとも１つの表示装置における前記少なくとも１つの広告の配置を決定するために、前記プロファイルと、前記入札及び格付け情報と、を使用するように適合された広告プラットフォームと、
前記広告プラットフォームと前記少なくとも１つの表示装置との間のデータ及び制御の流れを管理するために、前記広告プラットフォーム及び前記少なくとも１つの表示装置にセキュアなアクセスをするように適合されたエクスチェンジと、
を備えるデジタル広告システム。
【請求項２】
前記広告プラットフォームが仲介排除される請求項１に記載のデジタル広告システム。
【請求項３】
前記広告プラットフォームは、前記システムの最新の状態、条件、及び、変化を連続的に反映するように構成される請求項１に記載のデジタル広告システム。
【請求項４】
前記広告プラットフォームは、前記少なくとも１つの表示装置における前記少なくとも１つの広告の配置をほぼリアルタイムに決定できる請求項１に記載のデジタル広告システム。
【請求項５】
前記広告プラットフォームは、広告媒体コンテンツを作成して取り込むように更に構成される請求項１に記載のデジタル広告システム。
【請求項６】
前記広告プラットフォームは、前記少なくとも１つの表示装置における前記少なくとも１つの広告を最適化するように更に構成される請求項１に記載のデジタル広告システム。
【請求項７】
前記少なくとも１つの表示装置は、前記少なくとも１つの表示装置の使用を追跡するように更に構成される請求項１に記載のデジタル広告システム。
【請求項８】
前記システムと相互作用する少なくとも一人のユーザを更に有し、前記相互作用は、前記少なくとも一人のユーザのアカウントタイプと関連付けられるプロファイル、設定、及び、特典によって制御される請求項１に記載のデジタル広告システム。
【請求項９】
前記広告プラットフォームは、外部クラウドサービスである請求項１に記載のデジタル広告システム。
【請求項１０】
前記少なくとも１つの表示装置は、前記少なくとも１つの広告が前記少なくとも１つの表示装置に配置される場合に、広告アプリケーションが自動的にインストールされるようにさらに適合された請求項１に記載のデジタル広告システム。
【請求項１１】
入札及び格付け情報を有する少なくとも１つのデジタル広告の収益を表示して最適化する方法にであって、
少なくとも１つの表示装置であって、プロセッサと、メモリと、当該少なくとも１つの表示装置の属性を含むプロファイルとを有する少なくとも１つの表示装置を供給するステップと、
広告プラットフォームによって、前記少なくとも１つの広告の前記入札及び格付け情報を受信するステップと、
前記広告プラットフォームによって、前記プロファイルと前記少なくとも１つの広告の前記入札及び格付け情報とを使用して、前記少なくとも１つの表示装置における前記少なくとも１つの広告の配置を決定するステップと、
前記広告プラットフォーム及び前記少なくとも１つの表示装置からのエクスチェンジの情報によってセキュアにアクセスするステップと、
前記広告プラットフォームと前記少なくとも１つの表示装置との間のデータ及び制御の流れを前記エクスチェンジによって管理するステップと、
前記少なくとも１つの表示装置に前記少なくとも１つの広告を表示するステップと、
を備える方法。
【請求項１２】
前記広告プラットフォームは、仲介排除される請求項１１に記載のデジタル広告方法。
【請求項１３】
前記広告プラットフォームは、前記システムの最新の状態、条件、及び、変化を連続的に反映する請求項１１に記載のデジタル広告方法。
【請求項１４】
前記広告プラットフォームによって、前記少なくとも１つの表示装置における前記少なくとも１つの広告の配置を決定する前記ステップがほぼリアルタイムで行われる請求項１１に記載のデジタル広告方法。
【請求項１５】
前記広告プラットフォームによって、広告媒体コンテンツを作成して取り込むステップを更に備える請求項１１に記載のデジタル広告方法。
【請求項１６】
前記広告プラットフォームによって、前記少なくとも１つの表示装置における前記少なくとも１つの広告を最適化するステップを更に備える請求項１１に記載のデジタル広告方法。
【請求項１７】
前記少なくとも１つの表示装置の使用を前記少なくとも１つの表示装置によって追跡するステップを更に備える請求項１１に記載のデジタル広告方法。
【請求項１８】
ユーザとの相互作用から情報を得るステップを更に備え、前記相互作用は、前記ユーザのアカウントタイプと関連付けられるプロファイル、設定、及び、特典によって制御される請求項１１に記載のデジタル広告方法。
【請求項１９】
前記広告プラットフォームは、外部クラウドサービスである請求項１１に記載のデジタル広告方法。
【請求項２０】
前記少なくとも１つの広告が前記少なくとも１つの表示装置に配置される場合に、広告アプリケーションを前記少なくとも１つの表示装置に自動的にインストールするステップを更に備える請求項１１に記載のデジタル広告方法。
【発明の詳細な説明】
【関連出願】
【０００１】
この出願は、２０１４年６月３０日に出願された米国仮特許出願第６２／０１９，１５５号明細書、並びに、全てが２０１４年３月１４日に出願された米国特許出願公開第１４／２１３，７２９号明細書、米国特許出願公開第１４／２１３，７７３号明細書、米国特許出願公開第１４／２１３，８１０号明細書、米国特許出願公開第１４／２１３，８７３号明細書、米国特許出願公開第１４／２１３，９１８号明細書、米国特許出願公開第１４／２１３，９５６号明細書、米国特許出願公開第１４／２１３，９８１号明細書、及び、米国特許出願公開第１４／２１４，０１７号明細書の優先権を主張し、これら特許出願の開示及び教示は全て参照することによって本願に組み入れられる。
【技術分野】
【０００２】
本発明は、様々な市場スペースの全体にわたって価格及び収益機会を最大にするデジタル広告プラットフォームである。
【発明の概要】
【０００３】
デジタル広告システムは、入札及び格付け情報を有する少なくとも１つの広告の収益を表示して最適化するためのデジタル広告システムであって、少なくとも１つの表示装置であり、プロセッサと、メモリと、少なくとも１つの表示装置の属性を含むプロファイルとを有する少なくとも１つの表示装置と、少なくとも１つの広告と関連付けられる前記入札及び格付け情報を受信するとともに、プロファイルと入札及び格付け情報とを使用して、少なくとも１つの表示装置における少なくとも１つの広告の配置を決定するようになっている広告プラットフォームと、広告プラットフォームと少なくとも１つの表示装置との間のデータ及び制御の流れを司るために広告プラットフォーム及び少なくとも１つの表示装置に安全にアクセスするようになっているエクスチェンジとを備える。
【図面の簡単な説明】
【０００４】
【図１】エクスチェンジによりフェデレートされる多くのコンステレーションを含むエクスチェンジエコシステムの高レベル図を開示する。
【図２】エクスチェンジシステム及び広告プラットフォームシステムと表示面及びユーザとの相互作用を示す。
【図３】エクスチェンジオペレーション、コンステレーションオペレーション、及び、表示面オペレータユーザに対するエクスチェンジポータルインタフェースを示す。
【図４】広告ポータルオペレーション及び広告主タイプのユーザに対する広告ポータルのユーザインタフェースを示す。
【図５】エクスチェンジインフラストラクチャを示す。
【図６】その４つの主要な機能、すなわち、媒体コンテンツ管理、広告制御、広告配置、及び、報告を示す広告プラットフォームの概要である。
【図７】広告ロジックフローの２つのプロセス、具体的には、オフラインキャンペーンビルダープロセス及びリアルタイム入札／購入評価プロセスを示す。
【図８】特定の構成要素への及び特定の構成要素からの情報の流れと共に表示装置又は表面構成要素の概要を示している。
【発明を実施するための形態】
【０００５】
本発明は、様々な市場スペースの全体にわたって価格及び収益機会を最大にするデジタル広告プラットフォームである。エンドツーエンドシステムは、表示、アクセス可能性、視聴者標的化、管理、応答広告オプション、及び、市場仲介の技術革新を組み合わせる。
【０００６】
エクスチェンジシステムの３つの基本的なビルディングブロックは、エクスチェンジ自体−コンステレーションフェデレーティングハブ−、広告仲介プラットフォーム、及び、別個の一群の表示面である。エクスチェンジは、別個の一群の表示面（本明細書中ではコンステレーションと呼ばれる）が広告プラットフォームに安全にアクセスしてプロファイル及びメタデータ情報を提供するとともに広告媒体及び制御を受けることができるようにする。広告プラットフォームは、広告主が所定のレートプロセス又は入札プロセスを介して様々なタイプの表示面における表示時間（視聴スロットと呼ばれる）を取得できるようにする広告媒体コンテンツ配置を決定するために入札シート及びレートシートを使用する仲介排除動的広告プラットフォームである。仲介排除プラットフォームは、仲介者が広告配置サプライチェーンから除去されるプラットフォームである。すなわち、広告主は、本発明の広告ポータルを使用して、一連のブローカー、アグリゲーター、及び、エージェントを経由することなく直接に広告を配置する。広告ポータルは、最新の状態及び条件を連続的に反映するように構成されるとともに、各ユーザ入力に伴って変化して適合する。コンステレーションは、広告プラットフォームに登録されて広告プラットフォームから駆動される一群の表示面である。
【０００７】
表示面は、ビジュアルコンテンツを表示できる装置である。表示面の特別なカテゴリーは、該表示面の自律的な動作を可能にする広告アプリケーションを実行できる固有の能力を有する。広告アプリケーションは、表示面（他の協調する表示面を含む）の周囲に反応し、それに応じて表示媒体又は近接装置との相互作用を調整するとともに、広告配置決定の結果に影響を及ぼすことができる。これらの表示面は、（１）そのＨＤＭＩ（登録商標）ポートを介して標準的なディスプレイを駆動する外部ハードウェアコンポーネント、又は、（２）同じハードウェアコンポーネントを埋め込む特別に設計された表示装置のいずれかであることが好ましい。表示面のこのカテゴリーは、全てが２０１４年３月１４日に出願された米国特許出願公開第１４／２１３，７２９号明細書、米国特許出願公開第１４／２１３，７７３号明細書、米国特許出願公開第１４／２１３，８１０号明細書、米国特許出願公開第１４／２１３，８７３号明細書、米国特許出願公開第１４／２１３，９１８号明細書、米国特許出願公開第１４／２１３，９５６号明細書、米国特許出願公開第１４／２１３，９８１号明細書、及び、米国特許出願公開第１４／２１４，０１７号明細書に十分に説明されて図示されており、これらの特許出願の開示及び教示は全て参照することにより本願に組み入れられる。
【０００８】
プラットフォームは、広告媒体と表示面における視聴スロットとから形成される広告主の広告キャンペーンを作成して管理するための一組のツールを広告主に対してほぼリアルタイムに提供する。広告媒体は、広告主が広告媒体コンテンツを作成して取り込むとともにそのようなコンテンツを対象の表示面にとって最適なものにできるようにするプラットフォームポータルを介してアクセス可能な一組のツール及び自動化されたワークフローを用いて作成される。表示面における視聴スロットは、ポータルのキャンペーンビルダーツールを介して管理される取り決められた所定のレートシート又は入札プロセスを通して取得される。最後に、広告主は、ポータルを通しても利用できる一連のダッシュボーディングツール、報告ツール、及び、解析ツールを使用して自分達の目先のキャンペーンを監視する。また、拡張された一組の監視ツールは、本発明のシステムのピーク性能を常に確保するためにオペレーションスペシャリストによっても使用される。また、表示面の所有者／オペレータは、自分達の表示アセットインベントリの使用を追跡するために同様の一組の監視ツールも使用する。
【０００９】
図１は、エクスチェンジによりフェデレートされる多くのコンステレーションを含むエクスチェンジエコシステムの高レベル図を開示する。コンステレーションに属する各表示面に表示される広告媒体コンテンツは、エクスチェンジを介して広告プラットフォームによって管理される。
【００１０】
図２において分かるように、エクスチェンジ及び広告プラットフォームシステムは、４つの主要なタイプの表示面及び５つのタイプのユーザと相互に作用する。エクスチェンジは以下の４つの主要なタイプの表示をフェデレートし、かつ、プラットフォームは以下の４つの主要なタイプの表示を管理する。（１）アウトオブホーム（ＯＯＨ）表示面、（２）パブリックスペース表示面、（３）プライベート表示面、及び、（４）コマーシャル表示面。各タイプは、それ自体のコンステレーション下でグループ化される。３つのユーザタイプ、すなわち、エクスチェンジオペレーション、コンステレーションオペレーション、及び、表示面オペレータは、エクスチェンジポータルと直接に相互作用する。また、ユーザの２つのタイプ、すなわち、広告プラットフォームオペレーション及び広告主は、広告ポータルと相互に作用する。フェデレーティングは、複数の自律的な情報構造を外部当事者によって見られる単一の情報構造へとトランスペアレントにアグリゲートすることとして規定される。フェデレーションエンジンは、一般に、データ構造の複雑さ又はそれらの内部の仕組みをそのデータの一部にアクセスする必要がある第三者から隠すために使用される。
【００１１】
ユーザの５つのカテゴリーは、本発明のエクスチェンジ及びプラットフォームを使用して、広告キャンペーンを作成し、管理し、及び、動作させ、或いは、表示面を登録して管理する。図２において分かるように、これらのカテゴリーは以下の通りである。
１．エクスチェンジオペレーション
２．コンステレーションオペレーション
３．広告プラットフォームオペレーション
４．広告主
５．表示面オペレータ
【００１２】
それぞれのタイプのユーザの活動は、ユーザのアカウントタイプに関連付けられるプロファイル、設定、及び、特典によって厳密に制御される。
【００１３】
エクスチェンジオペレーションは、エクスチェンジのセキュリティ、連続性、及び、ピーク性能動作を確保するとともに、エクスチェンジポータルを通して利用できる一組のツールを介して一般的な技術サポートを与えることに関与する。これらのツールは、フェデレートされる表示面の性能指標ライブダッシュボードと報告するアグリゲートされたビューとを含む。また、エクスチェンジオペレーションは、様々なフェデレートされるコンステレーションと広告プラットフォームとの間で収益を仲裁する。最後に、エクスチェンジオペレーションは、ユーザの好み及び性能指標に基づいて洞察を与えるために「ビッグデータ」解析ツールを介して解析される莫大な量のユーザデータを収集する。
【００１４】
コンステレーションオペレーションは、共通の１組の規則によって支配されてエクスチェンジを介して他のコンステレーションとフェデレートされる一群の表示面を登録して、維持し、動作させることに関与する。
【００１５】
プラットフォームオペレーションは、広告プラットフォームサービスの連続性とピーク性能とを確保することに関与する。以下の４つの主要なタイプのプラットフォームオペレーションアカウントが利用できる。
１．オンボーディング管理者：表示面の適切な登録に関与する。
２．テックオプスサポート（テクニカルオペレーションサポート）：プラットフォームサービスの様々な構成要素の技術なサポートに関与する。
３．収益管理者：価格及び収益分与仲裁に関与する。
４．媒体コンプライアンススペシャリスト：広告媒体コンテンツをそれが広告キャンペーンにリンクされる前に見直して、評価し、承認することに関与する。
【００１６】
広告主は、広告キャンペーンの作成及び管理に関与する様々なタイプのユーザに相当する。最小限として、以下のタイプのアカウントを利用できる。
１．キャンペーンビルダー
２．キャンペーンレビューア
３．コンテンツクリエーター
４．キャンペーンオペレータ
【００１７】
表示面オペレータは、エクスチェンジ及び広告プラットフォームシステムを用いて装置を登録して管理するユーザである。以下の４つの主要なタイプの表示面オペレータアカウントが利用できる。
１．ＯＯＨ表示オペレータ
２．パブリックスペース表示オペレータ
３．プライベート表示オペレータ
４．コマーシャル表示オペレータ
【００１８】
表示面は、広告コンテンツを表示できる全ての表示装置を示す。各表示面のオペレータは、各表示面を広告プラットフォームサービスに登録するとともに、広告主と共に表示面の価値を高めてその動作を管理するためにプラットフォームサービスによって使用される表示面プロファイルを作成することができる。
【００１９】
表示面プロファイルは、好ましくは、表示面登録プロセスの一環として作成される、或いは、時々、すなわち、要求に基づくが連続的ではなく又は規則的なスケジュールで更新される属性により形成される静的プロファイルと、変更が行われる又は入力が成されるときに直ぐにシステムが反応するようにリアルタイムに更新される属性により形成される動的プロファイルとを備える。静的プロファイルは、好ましくは、固有の表記、装置タイプ、コンステレーション及び属する産業、媒体能力、設立、相対的位置、視聴条件、一般的な人口統計データ、コンテンツの好み、及び、履歴的な印象、換算率及び取得率、及び、ユーザ評価といった属性を組み入れる。動的プロファイルの属性は、好ましくは、絶対位置、経時的な設立／位置の人口統計データ、及び、経時的に変化する視聴条件を含む。詳細かつ動的表示面プロファイルは、好ましくは、広告主が特定の表示面の特性を完全に理解して特定の広告キャンペーン、視聴条件に関してその関連性及び価値を評価できる。無制限検索フレームワークにキーが組み込まれ、このキーは、システムの重要な差別化要因になる。キーは、表示面ファインダが、静的要因及び動的要因を考慮して、特定の人口統計データ及び広告キャンペーン目的を対象にするのに最良な表示面の特定を非常に容易にする正確な広告関連性指数を計算できるようにする。
【００２０】
本発明の広告プラットフォームは、以下の３つのタイプの表示装置をサポートする。
【００２１】
１．標準的な表示装置。本発明は、全てが２０１４年３月１４日に出願された米国特許出願公開第１４／２１３，７２９号明細書、米国特許出願公開第１４／２１３，７７３号明細書、米国特許出願公開第１４／２１３，８１０号明細書、米国特許出願公開第１４／２１３，８７３号明細書、米国特許出願公開第１４／２１３，９１８号明細書、米国特許出願公開第１４／２１３，９５６号明細書、米国特許出願公開第１４／２１３，９８１号明細書、及び、米国特許出願公開第１４／２１４，０１７号明細書に開示される表示装置と好ましくは協働するように構成され、これらの特許出願の開示及び教示は参照により本願に組み入れられる。表示装置は、その組み込まれたデジタルサイネージシステムエンジン及び図８に開示されるオペレーティングシステム（ＶＯＳ）を介してネイティブプラットフォームサポートを組み入れる。デジタルサイネージエンジンは、クライアントとサーバとから形成される複合ソフトウェアシステムであり、広告コンテンツを作成してスクリーン上に表示するために使用される。デジタルサイネージエンジンは、何時何処で何が広告されるのかを決定するための知能を組み込まず、好ましくは、オペレータが手動で表示することを決定するコンテンツを単に表示するにすぎない。
【００２２】
２．表示装置、例えば、先の参照により組み入れられた出願に記載される表示装置は、従来のディスプレイと比べて、超薄いフォームファクタ、軽量、低電力、展開容易、及び、低コストを与えるとともに、屋内用途及び屋外用途のために利用できる−表示装置の屋外バージョンはＩＰ４−認証される。表示装置の強力なプロセッサ及び固有のＶＯＳは、好ましくは、その環境に適合する又は反応するとともにそのコンテキストに常に適合されるピンポイントフォーカス広告媒体を与えるために、それがフル１０８０ｐビデオ解像度、鮮やかなグラフィックレンダリング、無線オーディオを与えることができ、及び、ネットワーク、内蔵モーション／慣性センサ、方位センサ、ジオタギングセンサ、及び、近接センサ、並びに、ＢＴＬＥ／ｉＢｅａｃｏｎからの入力を使用するアプリケーションを実行できる能力を与えることができるようにする。
【００２３】
３．表示装置ビジョンプラス。表示装置ビジョンプラスは、先の参照により組み入れられた米国特許出願（ディスプレイ以外）に開示される標準的な表示装置と同じ電子回路パッケージを組み込むとともに好ましくは任意のＨＤＭＩ関連表示装置をフル１０８０ｐ解像度まで押し上げることができるコンパクトな自己完結型の製品である。表示装置ビジョンプラスは、好ましくは、標準的な表示装置と同じ処理能力、ネットワーク能力、及び、コンテキスト認識能力を有する。
【００２４】
４．表示装置ソフトウェアプレーヤ。表示装置ソフトウェアプレーヤは、好ましくは、広告プラットフォームサービスと接続してサードパーティのハードウェア及びオペレーティングシステムの性能限度内で同等な能力を与えるためにサードパーティの表示装置に組み込まれる。
【００２５】
表示面には、それらの所有権と、本発明のエクスチェンジ及び広告プラットフォームとの関係のタイプとに基づき、４つのカテゴリーが存在する。
【００２６】
アウトオブホーム（ＯＯＨ）表示面は、家庭外及び屋外の広告会社により所有され、管理され、及び、動作される全ての装置を示す。これらの表示装置の唯一の目的は、本発明の広告プラットフォームシステムにより管理される広告キャンペーンを表示することである。これらの表示面は、直接に又はエクスチェンジを介して広告プラットフォームサービスに登録される。
【００２７】
パブリックスペースディスプレイ（ＰＳＤ）は、好ましくは、企業によって個別に所有されて動作されるとともに、本発明のシステムにより管理される広告コンテンツ及び公開情報を表示する目的でレストラン又は歯科医院のようなパブリックスペース内に位置される全ての表示面を示す。これらの表示面は、収益分与機会と引き換えにエクスチェンジを介して広告プラットフォームサービスに登録される。
【００２８】
プライベートディスプレイ（ＰＤ）は、一個人により所有されて動作されるとともに、アート、装飾品、及び、娯楽ビジュアル（及びオーディオ）コンテンツを与えるという主目的のために一個人のプライベートスペース（住居）内に位置される表示面を示す。これらの表示面は、広告スポンサー付きサービス、すなわち、表示面で又はアドバイスの場合には制御ユーザインタフェースで見られる通常の媒体コンテンツを通してプラットフォーム駆動される広告コンテンツをインターレースする機会の見返りとして割引されるサービスと引き換えにエクスチェンジを介して本発明のサービスに登録され得る。スポンサーになることの価値は、印象（すなわち、見ること）、転換（すなわち、視聴者からのアクション）、又は、取得（すなわち、広告製品の購入）に基づく。
【００２９】
コマーシャルディスプレイ（ＣＤ）は、広範なサービス業内の会社により所有されて動作されるとともに、一個人のユーザがアート、装飾品、及び、娯楽ビジュアル（及びオーディオ）コンテンツを与えることができるようにするという主目的のために会社の顧客により占められるプライベートスペース（例えば、部屋又は特別室）内に位置される表示面を示す。これらの表示面は、収益分与機会又は広告スポンサー付きサービス機会と引き換えにエクスチェンジを介して広告プラットフォームサービスに登録される。プラットフォーム駆動される広告媒体コンテンツは、表示面又は制御ユーザインタフェースにおける通常の媒体コンテンツとインターレースされる。
【００３０】
エクスチェンジシステムは、図５に見られるようにコンステレーション及び広告プラットフォームシステムとしてグループ化される様々な表示面のためのフェデレーションハブとして作用する。具体的には、エクスチェンジシステムは、広告プラットフォームと表示面との間のデータ及び制御情報の流れを司って、厳しいセキュリティフレームワークを実施するとともに、関与する様々な当事者間で、すなわち、広告プラットフォーム、コンステレーションオペレーション、及び、表示面オペレータの間で収入分与を仲裁する。エクスチェンジの主な機能は、様々なコンステレーションから全ての表示面及びユーザをフェデレートして、プラットフォームサービスへのアクセスを確保して容易にするとともに、分与された収益の監査トレースを仲介して作成することである。エクスチェンジは、広告媒体コンテンツをルーティングして、様々な登録された表示面を制御してこれに命令を出すとともに、使用データ及び状態データをそれぞれの動作中の表示面から広告プラットフォームへ戻す。また、エクスチェンジは、表示面からの静的及び動的なプロファイル及びメタデータ情報、並びに、プラットフォームにより使用されるべきユーザアカウント及びプロファイルをフェデレートする。エクスチェンジロガー機能は、それぞれの登録された表示面から詳細な料金並びに他の使用データ及びコンテキストデータを含んでエクスチェンジを通過する全ての情報を記録してロギングする。また、ロガーは、全ての関連するプラットフォームログ情報のコピーも受信する。ロガーは、この情報を解析エンジン及び収益仲介機能によって使用されるべきデータベースに編成する。エクスチェンジの特定の機能（料金管理）は、料金収益分与を計算して管理するために使用及び登録情報を追跡する。
【００３１】
適切に登録された時点で、エクスチェンジは、好ましくは、それぞれの表示面の適正な認証及び広告媒体コンテンツの安全な配信を確保するとともに、使用のみならず、コンテキスト及びプレイアウト報告データも制御する。
【００３２】
また、エクスチェンジは、以下のように、コンステレーション、それらの表示面、及び、広告プラットフォームの間の情報の流れも管理する。
・コンステレーションと表示面との間
ｏ状態及び活動指標
ｏサービス管理
・プラットフォームと表示面との間
ｏ状態及び活動指標
ｏサービス管理
ｏプロファイル更新
ｏ広告媒体コンテンツ
ｏ広告媒体制御
ｏコンテキスト及び使用報告
・コンステレーションとプラットフォームとの間
ｏ登録情報
ｏ収益情報
ｏサービス管理
【００３３】
エクスチェンジは、それぞれの登録された表示面に関する詳細な使用及びコンテキスト情報を収集するとともに、このデータのサブセットをその様々な処理機能のために広告プラットフォームへ安全に送信する。エクスチェンジは、好ましくは、全ての活動、性能解析のための使用及びコンテキスト指標、監査、及び、一般的な「ビッグデータ」解析の記録をとる。
【００３４】
図３において分かるように、エクスチェンジポータルは、エクスチェンジオペレーション、コンステレーションオペレーション、及び、表示面オペレータユーザに対する包括的なユーザインタフェースを与える。各ユーザは、好ましくは、データへのアクセスを制限してセキュリティ保護された動作環境を与えるように機能するプロファイルを伴うアカウントを有する。表示面オペレータは、それら自身のコンステレーションのためにカスタマイズされるエクスチェンジポータルを使用し、この場合、機能性及びデータは広告プラットフォームから与えられるが、カスタマイズされたエクスチェンジポータルは、広告プラットフォームからユーザをシールドして、セキュリティ保護された認証及び適正トレーサビリティをコンステレーションに与える。
【００３５】
エクスチェンジポータルは、２つの主要なタイプのユーザ、すなわち、エクスチェンジオペレーション及びコンステレーションオペレーションを供給する。エクスチェンジポータルは、好ましくは、アカウント管理（プロファイル及び設定作成・管理、使用履歴、サポート要求、並びに、金融情報）を含む全ての重要な機能を与えるために厳しいログイン妥当性確認及び認証を実施する。
【００３６】
エクスチェンジポータルは、好ましくは、以下の重要な機能をエクスチェンジオペレーションに与える。
【００３７】
・技術的なサポート：警報、監視、容量計画、制御／オーバーライド、トラブルチケット管理、及び、通信。
【００３８】
性能ダッシュボード及び報告：全ての重要な性能指標の瞬間的な又は履歴的なビューを与えて更に詳細な情報を掘り出すための一組のリアルタイムダッシュボード及びレポート。また、カスタマイズされたダッシュボードビュー及びレポートを規定するために一組のツールも利用できる。
【００３９】
収益仲裁：コンステレーション及び個々の表示面オペレータに対して分与する収益を監視して、追跡し、監査するためのツール。
【００４０】
・表示面のアグリゲート性能：重要な傾向を特定するためにアグリゲートされたグループにおいて表示面性能を監視して、追跡し、監査するためのツール。
【００４１】
・ビッグデータ解析：全ての表示面から収集される全ての使用データ及びコンテキストデータから使用、傾向、コホート、及び、他のタイプの解析を行って重要な市場及び使用の指標を抽出するための一組の解析ツール。
【００４２】
・アカウント管理：機能へのアクセスを制御し、入力を有効にして認証するとともに、ユーザがシステムリリースにアクセスできるようにするために使用される証明書及びユーザプロファイルを作成するための機能。
【００４３】
コンステレーションオペレーションは、プラットフォーム収益分与を制御して管理し、オンボーディングをサポートし、表示面を管理し（主に表示面オペレータによって行われる）、及び、緊急事態を管理することに焦点が合わされる。
【００４４】
コンステレーションオペレーションの主な機能は、プライベートディスプレイ又はコマーシャルディスプレイを介して配信されるサービスのエンドユーザ又は消費者に対して広告スポンサー付きサービスを売り込むための機構を管理することである。
【００４５】
・この機構に加入するプライベートディスプレイ所有者（及びオペレータ）に関して、これらの所有者は、好ましくは、自分達のＰＤを通じて与えられるサービス又は自分達のＰＤを通じてもたらされる購入に対して割引を受ける。
【００４６】
・加入するコマーシャルディスプレイ所有者（及びオペレータ）に関して、これらの所有者は、好ましくは、自分達のＰＤを通じて与えられるサービス、自分達のＰＤを通じてもたらされる購入、又は、自分達のＰＤに関連する今後のサービスの控除に対して割引を受ける。また、割引及び控除は、自分達自身の顧客とも共有され得る。
【００４７】
エクスチェンジポータルは、これらの他の重要な機能をコンステレーションオペレーションへ与える。
【００４８】
・収益管理：コンステレーション、一群の表示面、又は、個々の表示面に関してアグリゲートレベルで広告プラットフォームから分与される収益を監視して監査するためのツール。収益エンジンは、好ましくは、ダウンストリーム収益分配を追跡するとともに、詳細な収益記録をコンステレーションオペレーションに与える。
【００４９】
・性能ダッシュボード及び報告：表示面のアグリゲート性能をリアルタイムで監視する或いは履歴的性能を見直すためのツール。また、カスタマイズされたダッシュボードビュー及びレポートを規定するために一組のツールも利用できる。
【００５０】
・表示面性能：個々の又は一群の表示面の性能をリアルタイムで監視する、或いは、履歴的性能を見直すためのツール。また、カスタマイズされたダッシュボードビュー及びレポートを規定するために一組のツールも利用できる。
【００５１】
・コンステレーション解析：全ての表示面から収集される全ての使用データ及びコンテキストデータから使用、傾向、コホート、及び、他のタイプの解析を行うための一組の解析ツール。
【００５２】
・緊急ブロードキャスト：コンステレーションオペレーションは、オーバーライド制御を介して緊急ブロードキャストのためにその登録された表示面を使用することもできる。緊急ブロードキャストは、緊急時に任意の他の広告コンテンツをオーバーライドする特定のタイプの媒体コンテンツである。広告ポータルは、コンステレーションオペレーションが、即座に任意の又は一群の表示面に対して売り込まれ得る一連の広告媒体コンテンツを（自動化されたワークフローを使用して）予め規定し、したがって、その期間中に任意のスケジュールされた広告配置をオーバーライドできるようにする。
【００５３】
・アカウント管理
【００５４】
・広告スポンサー付きサービス管理：プライベートディスプレイ又はコマーシャルディスプレイを介して与えられるサービスのエンドユーザ又は消費者に対して広告スポンサー付きサービスを売り込むための機構。
【００５５】
表示面オペレータは、それらのコンステレーションのためにカスタマイズされるポータルを使用して、広告プラットフォームに対する関与を管理するために必要な様々な機能にアクセスする。このポータルは、主に、広告プラットフォームによって与えられる機能を使用するエクスチェンジによって管理される。
【００５６】
表示面オンボーディング及び管理のサポートは、好ましくは、コンステレーションオペレータが表示面登録及びプロファイル情報を作成して編集することに表示面オペレータが明示的に委任又は承認しなければ、表示面オペレータによってリードオンリーモードで使用される同じ組のツールを介して行われる。
【００５７】
エクスチェンジの主な目的は、全てのコンステレーション表示面をフェデレートして、広告プラットフォームなどの外部クラウドサービスへの安全なアクセスを与えることである。そうすることで、表示面の動作及びコンテキストに関連する大量の情報がエクスチェンジを通過し、それにより、「ビッグデータ」解析用途のためのデータを収集して記憶することが理想的な位置となる。
【００５８】
エクスチェンジインフラストラクチャは、図５において分かるように、コンステレーション表示面と広告プラットフォームとの間（又は他の外部クラウドサービス）からのデータストリームを認証し、確保し、及び、リダイレクトし、又はルーティングするように設計される。
【００５９】
１．広告媒体コンテンツのルーティング：広告媒体コンテンツがエクスチェンジを介して対象の表示面へ分配される。エクスチェンジは、媒体コンテンツを認証し、それを適切な表示面へルーティングするとともに、広告プラットフォームに対して確認応答を与える。
【００６０】
２．ルーティングデータ及び制御：エクスチェンジは、表示面に対する全てのプラットフォーム制御を認証して、プラットフォームに対して確認応答を与える。また、エクスチェンジは、ディスプレイサービスからの全てのプレイアウトデータを認証して、この情報を広告プラットフォームへルーティングする。プレイアウトデータは、広告キャンペーンの実行に関連する全ての重要な統計データを与える標準的な産業レポートである。
【００６１】
３．表示面登録、プロファイル動的状態、及び、メタデータのフェデレーティング：エクスチェンジは、登録、静的及び動的プロファイル情報、及び、全ての他のプラットフォーム性能データに関連する全ての表示面情報を認証して有効にする。この情報は、アグリゲートされて正規化される−すなわち、情報は、広告プラットフォームの通過を更に容易にするために同じフォーマット及び構造に置かれる−とともに、個々の表示面のプライバシーを保護しつつプラットフォームへ送信される。
【００６２】
４．ユーザアクセスのフェデレーティング：エクスチェンジは、表示面及びそれらのオペレータからの全ての認証及び証明書を扱うとともに、個人のプライバシーを保護しつつアグリゲートされて正規化された情報を広告プラットフォームへ送る。
【００６３】
５．ロギングされたデータのアグリゲート：プラットフォームログ情報は、エクスチェンジでロールアップされて、媒体ルーティング、制御・データルーティング、表示面フェデレーション、及び、ユーザアカウントフェデレーションからの使用データ及び性能データとアグリゲートされる。
【００６４】
６．表示面の使用データ及びコンテキストデータのアグリゲート：詳細な使用データ及びコンテキストデータは、各表示装置のプロファイル及び許可に条件付きのエクスチェンジにより捕捉される。この情報は、エクスチェンジを通過する全ての他の情報と関連付けられる（上記＃５）。
【００６５】
７．広告スポンサー付きサービス及び収益分与の管理：エクスチェンジは、プラットフォームに関して収益分与及び内在する広告結果情報を受信して、性能指標を有効にするとともに、それぞれのコンステレーション及び／又は個々の又は一群の表示面に対する収益分配を仲裁する。
【００６６】
本発明のプラットフォームは、表示時間の購入者（すなわち、表示面における視聴スロットを購入する広告主）が以下の単純な５段階ワークフローを使用して広告キャンペーンを作成し、管理し、及び、監視できるようにする。
１．広告媒体コンテンツを作成する
２．広告キャンペーンを作成する
３．表示面を見出す
４．表示面視聴スロットを取得する
５．広告キャンペーンを管理する
【００６７】
プラットフォームの２つの主要な構成要素は、様々な機能を果たすためにユーザインタフェースを与えるポータル、及び、サービス利用可能性、スケーラビリティを最大にして厳しいセキュリティフレームワークを実施するためにクラウドインフラストラクチャでホストされるソフトウェアインフラストラクチャである。
【００６８】
図４において分かるように、本発明の広告ポータルは、広告ポータルオペレーション及び広告主タイプのユーザに対する包括的なユーザインタフェースを与える。各ユーザは、データへのアクセスを制限してセキュリティ保護された動作環境を与えるように機能するプロファイルを伴うアカウントを有する。
【００６９】
広告主、表示面オペレータ、コンステレーションオペレータ、及び、プラットフォームオペレーションは、広告ポータルの様々なビューにアクセスして、それらのそれぞれの機能及びサービスを管理する。ロールベースの認証が各グループに以下の能力を与える。
【００７０】
１．広告主は、広告媒体を登録して取り込み／作成し、キャンペーンを形成して管理するとともに、ダッシュボード、レポート、及び、解析を監視して、広告ポータルからの支払い及びそれらのアカウントを管理する。問題解決を適時に与えてユーザの満足度を最大にするためにライブチャットサポートが与えられる。
【００７１】
２．表示面オペレータは、表示面を登録し、表示面プロファイルを管理して、関与スケジュールを管理するとともに、ダッシュボード、レポート、及び、解析を監視して、広告ポータルからの収益及びそれらのアカウントを管理する。また、表示面オペレータは、好ましくは、これらの表示面が広告プラットフォームから外れているとき、すなわち、プラットフォームが表示面に表示される広告コンテンツを制御しないときには、それら自身の表示面でそれら自身の媒体コンテンツ及び視聴キャンペーンを管理する。表示面オペレータのログイン有効化及び認証は、実際には、エクスチェンジポータルを介して行われる。この場合、一度完了したユーザは、エクスチェンジポータルを介して認証を維持しつつ広告ポータルに対してトンネリングされる。
【００７２】
３．コンステレーションオペレータは、広告サービスに対するそれらの関与を登録して管理するとともに、それらの表示面の性能を監視して、広告ポータルからのそれらの収益及びアカウントを管理する。表示面オペレータと同様に、コンステレーションオペレーションのログイン有効化及び認証は、実際には、エクスチェンジポータルを介して行われる。この場合、一度完了したユーザは、エクスチェンジポータルを介して認証を維持しつつ広告ポータルに対してトンネリングされる。殆どの場合、表示面オペレータ及びコンステレーションオペレータの特典は同じユーザによって共有される。
【００７３】
４．広告プラットフォームオペレーションは、全てのユーザをサポートしてプラットフォームの利用可能性及びピーク性能動作を確保するために広告ポータルと相互に作用する。加えて、広告オペレーションは、広告ポータルを使用して、表示面登録ワークフロー及び広告媒体コンテンツ承認ワークフローを管理し、在庫及び価格を管理するとともに、全てのユーザに対してチャットサポートを与える。
【００７４】
ユーザ登録及び認証は、コンステレーションオペレータ及び表示面オペレータのためにエクスチェンジと協働して広告プラットフォームにより行われる。ユーザ登録プロセスが完了した時点で、それぞれのログイン時に認証される固有の証明書を伴ってアカウントが作成される。加えて、広告プラットフォーム（及びエクスチェンジ）サービスにアクセスするために使用される実際のコンピューティングプラットフォーム（タブレット、ラップトップ、又は、デスクトップコンピュータ）も、好ましくは、アクセスコードを用いて認証される。完全に登録された時点で、全ての動作及びデータのログがそれぞれの個々のユーザごとに維持される。
【００７５】
全ての関与する表示面は、好ましくは、広告プラットフォームサービスに加わるために登録プロセスを踏む。登録プロセスは、表示面オペレータアカウントによって広告ポータルを介して行われる。登録プロセスは、表示面の完全な記述を作成するために、一連の特定の質問及び自動化データキャプチャによってユーザを案内するウィザードにより駆動される。登録プロセスは、設立／位置の画像アップロード、表示面識別及び特性の定義、及び、関与スケジュールの定義（適用できる場合）を含む。
【００７６】
表示面のオペレータは、不適切な又は望ましくない広告媒体コンテンツが登録された表示面で見られないようにするために静的又は動的な媒体コンテンツ格付け「オプトアウト」を決定することができる（例えば、バーガーキングにおけるマクドナルドの広告）。静的な媒体格付けは、動的なコンテンツ格付けが所定の規則及びデータソースに基づいてリアルタイムに評価される間に常に実施される。
【００７７】
提出された登録は、表示面がコンステレーションに加えられる前に広告オペレーションによって詳しく見直される。
【００７８】
パブリックスペースディスプレイ（ＰＳＤ）のオペレータは、プラットフォーム駆動される広告コンテンツを表示するためにＰＳＤが利用できる時間を規定することもできる。オペレータは、好ましくは、最終間際の変更に適合するためにこのスケジュールをオーバーライドできる。最後に、データキャプチャ「オプトアウト」がそれぞれの表示面ごとに規定される。このデータキャプチャオプトアウトは、エクスチェンジによる使用データ又はコンテキスト（例えば、装置近接、人近接又は不在）データの収集を制限する又は防止する。表示面及び加入されたクラウドサービスのタイプに応じて、コンステレーションは、個々のユーザ又は所有者／オペレータに対する完全な委任から完全な強制にまで及ぶ制限されたオプションを課す又は提供してもよい。また、同様に、コンステレーション又は個々のユーザ又は所有者／オペレータは、ある種の広告媒体コンテンツを防止又は促進するために広告の好みを設定するオプションを有してもよい。
【００７９】
広告主アカウントが作成されて資金供給されると、広告ポータルは、（１）自動化されたワークフローを使用して広告媒体コンテンツを作成するためのステップ、（２）広告キャンペーンを作成するためのステップ、（３）適切な表示面を見つけるためのステップ、（４）表示面視聴スロットを取得するためのステップ、及び、（５）広告キャンペーンを管理するためのステップを合理化して自動化するエンドツーエンドワークフローを管理する。
【００８０】
広告主は、本発明の自動化ワークフロー態様によって広告媒体コンテンツを取り込む又は作成する。広告媒体コンテンツの以下の２つの主要なタイプが存在する。
【００８１】
（１）静止画及びビデオ／オーディオなどの伝統的なオーディオ／ビジュアル媒体コンテンツ、及び、（２）広告プラットフォームバックエンドにつながれる表示面で実行している広告アプリケーション。
【００８２】
媒体は、自動化されたワークフローウィザードを介してその当初のフォーマットで広告プラットフォームクラウドにアップロードされ得るとともに、ユーザは、その対象の表示面プロファイルを選択して規定する。アップロードされた時点で、当初の媒体コンテンツのアスペクト比が正規化され、その解像度、コントラスト、及び、色の深みが、最大の視覚的品質を得るべく選択された表示面プロファイルに適合される。その後、適合された当初の媒体が内部メザニンフォーマットにトランスコードされ、また、その表示属性は、選択された表示面プロファイルで最大の視聴経験を与えるためにもう一度最適化される。内部メザニンフォーマットは、媒体コンテンツの記憶のための内部フォーマットであるとともに、米国特許出願公開第１４／２１３，７２９号明細書、第１４／２１３，７７３号明細書、第１４／２１３，８１０号明細書、第１４／２１３，８７３号明細書、第１４／２１３，９１８号明細書、第１４／２１３，９５６号明細書、第１４／２１３，９８１号明細書、及び、第１４／２１４，０１７号明細書において十分に記載され、これらの出願は参照することにより先に組み入れられる。
【００８３】
重要な視覚的要素は、好ましくは、自動的に検出され、また、フレーミング、クロッピング、又は、オフセッティングなどのビジュアルコンテンツ最適化がユーザに対して提案される。その後、派生的なコンテンツオブジェクト（サムネイル、プレビュー、ウォータマークプレビュー）を生成することができ、全てのビジュアルオブジェクト（当初のフォーマット、メザニンフォーマット及び派生物）が、適切なセキュリティ、信憑性、プライバシー、及び、使用追跡を確保するデジタル権利管理システムによって登録される。適切なセキュリティ、信憑性、プライバシー、及び、使用追跡を確保するための管理システム。プロセスは、ユーザが結果として得られるオブジェクトを有効にできる又はオプションを選択できる一連のチェックポイントによりゲートコントロールされる。
【００８４】
自動化されたワークフローは、ビジュアルコンテンツが表示面に売り込まれるときにビジュアル情報をリアルタイムにオーバーレイできるようにするために取り込まれる媒体コンテンツ上にタグをオーバーレイするためのツールを与える。ユーザは、（１）取り込まれる媒体コンテンツ上の規則的な幾何学的形状（タグ形状）、（２）視聴時に非常に印象付けられるビジュアル情報、（３）タグ形状（色、境界線、透明度、及び、テクスチャ）の視覚的属性、（４）タグオブジェクトのタイプ（テキスト、ＱＲコード（登録商標）、又は、画像）、及び、タグオブジェクトのリアルタイムソース（時間、データフィード、ＲＳＳフィード等）を規定する。例えば、メッセージ「写真を撮影して、それをｗｗｗ．ｗｈａｔｅｖｅｒＸＹＺ．ｃｏｍへ送信して落札しよう！（Take a picture and send it to www.whateverXYZ.com to win!）」をポスター上にオーバーレイすることができ、また、時間又は位置を反映するように「ＸＹＺ」をリアルタイムに変更できる。
【００８５】
また、取り込まれるコンテンツは、同様に正規化されてメザニンフォーマットにトランスコードされるオーディオチャネルを含んでもよい。正規化プロセスは、好ましくは、音声レベル調整、周波数正規化及び増強、並びに、ビジュアルコンテンツとの再同期を含む。コンテンツメタデータもまた、プロセス中に捕捉される。取り込みエンジンによって自動的に検出されることが好ましいコンテンツの技術的仕様（方向性、アスペクト比、解像度等）を規定する標準的なコンテンツメタデータに加えて、視聴率、重要な視覚的要素、最適な視聴条件、及び、ビジュアルＤＮＡ分類などの付加的な属性もユーザから要求される。
【００８６】
取り込みワークフローは、好ましくは、複数の個人が非リアルタイムプロセスで協働できるようにするために非同期である。オブジェクト（コンテンツ及びメタデータ）の最終セットは、プラットフォームオペレーション製作スペシャリスト及び広告主によって見直されて、承認のためにデジタル署名される。非リアルタイムプロセスは、全てのユーザが同時に関与する必要がないプロセスである。
【００８７】
動的な複合広告コンテンツを大部分の表示面タイプでリアルタイムにレンダリングできる。自動化されたワークフローは、基本的なビジュアルオブジェクト（オーディオチャネル、グラフィックスアニメーション、静的テキスト、クローリングテキスト、タイル、回転面、移動面など）、表示レイアウト（右Ｌ形状、垂直ピラー、ｎ列など）、及び、プレイリストにより制御される又は外部データソース（時間、データフィード、ＲＳＳフィードなど）から駆動される取り込まれた媒体コンテンツ（画像及び映像／音声クリップ）の組み合わせを使用してそのようなグラフィックスアニメーションコンテンツを作成するために使用される。また、自動化されたワークフローは、特別な特典を有するユーザがカスタマイズされたオブジェクト、レイアウト、及び、外部データソースを作成できるようにする。
【００８８】
特別なタイプのテンプレートとプレイリストとの組み合わせは、幾つかの表示面にわたるビジュアルコンテンツの協調又は協働を可能にする。例えば、一連の動画グラフィックコンテンツは、開始場面及び主要場面の移行が全ての表示面にわたって同期される状態で、フードコートの周囲の幾つかの表示面で再生できる。
【００８９】
動的な複合コンテンツの順序付け及びタイミングは、視聴者にとって経験を最大にするようにトラフィック状態に合わせて自動的に調整するべく構成され得る。Ｇｏｏｇｌｅトラフィックなどのデータソース又はドップラーレーダなどの接続されたセンサを使用して、表示面は、トラフィック状態を自動的に検出し、それにしたがって、視聴プログラムブロック及び視聴スロット継続時間を調整する。同様の適応できる媒体コンテンツ実行が、気象条件又は他の所定のデータソースに基づいて想定し得る。
【００９０】
広告アプリケーションの概念は、本発明の広告プラットフォームに特有のものである。参照により全てが本願に組み入れられる米国特許出願公開第１４／２１３，７２９号明細書に開示されるような表示面の固有の能力と組み合わせたプラットフォームのバックエンド形態は、アプリケーションの使用が各表示面における媒体コンテンツ又は幾つかの表示面にわたって協調される媒体コンテンツを駆動させて広告配置プロセスと相互に作用できるようにする。アプリケーションは、処理環境における表示面で実行するように認可された第三者開発者により開発されたアンドロイドベースのアプリケーションであることが好ましい。アプリケーションは、ソフトウェア開発キット（ＳＤＫ）を組み込む自動化されたワークフローの拡張バージョンを使用して開発される。ソフトウェア開発キットは、特定の動作環境のためのソフトウェアを書き込むために使用される一組のソフトウェアツールである。ＳＤＫは米国特許出願公開第１４／２１３，７２９号明細書、第１４／２１３，７７３号明細書、第１４／２１３，８１０号明細書、第１４／２１３，８７３号明細書、第１４／２１３，９１８号明細書、第１４／２１３，９５６号明細書、第１４／２１３，９８１号明細書、及び、第１４／２１４，０１７号明細書において十分に記載され、これらの出願は参照することにより先に組み入れられる。
【００９１】
アプリケーションは、広告キャンペーンの実行がスケジュールされるとともに表示面上で見られるビジュアルコンテンツ及びオーディオコンテンツを生成することに広告キャンペーンが関与する際に、選択された表示面に自動的にインストールされ、それにより、無類度合いの自律的動作は、定位、相互作用、協調、及び、局所環境への適応が可能になる。また、アプリケーションは、それらの動作を協働する表示面と協調させる或いは入札プロセスの結果に影響を及ぼし得る広告プラットフォームにデータを提供する。アプリケーションは、表示面オペレーティングシステム（ＶＯＳ）によって与えられるリソースを使用して、情報及びコマンドを収集し、これによりビジュアル（及びオーディオ）コンテンツを生成する。その機構を使用して、アプリケーションは、以下の４つのタイプの入力を処理して、そのビジュアルコンテンツを生成することができる。
【００９２】
１．例えば時間、温度等のローカル表示面パラメータ。
【００９３】
２．市販のＲＳＳフィード、ＸＭＬフィード、（外部のサードパーティのプライベートクラウド又はプライベートクラウドからの）プライベートデータフィード、ＵＲＬ、又は、任意の取り込まれた媒体コンテンツを含むプラットフォームクラウドからくるネットワークデータフィード。
【００９４】
３．そのＵＳＢ、イーサネット（登録商標）、ＢＴＬＥ、又は、ＷｉＦｉ接続を介して表示面へ直接にデータを通信するセンサからのローカルセンサデータフィード。
【００９５】
４．それら自体の直接的なセンサデータフィードを含む他の表示面。
【００９６】
開発されて検査された時点で、アプリケーションは、それらが広告キャンペーンで使用されるべく利用可能になるアプリケーションストアなどのカタログで公開される。全てのタイプの広告媒体コンテンツは、カタログに公開され得るとともに、所定の価格において他の広告主に利用可能にされ得る。アプリケーションロケーションストアを介して利用できる全ての公開コンテンツは、プラットフォームオペレーションによって事前承認される。
【００９７】
図８において分かるように、アプリケーションは、好ましくは、先の参照により組み入れられた米国特許出願に開示される表示面のＶオペレーティングシステムによって与えられるサービスをうまく利用して、表示装置によりレンダリングされる又は生成されるべき画像、音声、及び、動作を計算する。ＶＯＳは、（１）埋め込まれたセンサ（例えば、方位センサ又はＧＰＳセンサ）、（２）遠隔的に接続されたセンサ又はデータソース、（３）協働する表示面からのデータ、（４）プラットフォームクラウドからのデータソース、及び、（５）プラットフォームクラウドを介してルーティングされる外部クラウドサービスからのデータソース、からの入力データストリームを含む多数のサービスへのアクセスを与える。表示装置によって生成される全ての画像、音声、及び、動作は、プラットフォームクラウドにロギングされ得る。
【００９８】
自動化されたワークフローは、アプリケーションで厳格なセキュリティフレームワークを実施する。アプリケーションは、公開されると、認証されてデジタル署名され得る。アプリケーションは、２５６ビットのＡＥＳ（Advanced Encryption Standard）暗号化を用いる安全な転送プロトコルを使用して表示面プロセッサへダウンロードされる。アプリケーションは、表示面にインストールされる前に認証され、デジタル署名は、それが実行に合わせてローディングされる度に有効にされる。このセキュリティフレームワークは、安全なブースローダを伴うセキュリティ保護されたロックダウンプロセッサを含む表示装置のセキュリティアーキテクチャ、セキュリティ保護されたパーティションで実行する署名アンドロイドＯＳ、及び、信頼されているアプリケーションスペースの外側に透けて露出されないセキュリティキーレジスタによってサポートされる。
【００９９】
ＳＤＫは、アプリケーションを広告プラットフォーム報告及びオペレーション監視に組み込むためのリソースを与える。このＳＤＫにより、アプリケーション開発者は、アプリケーションに固有の指標を、広告ポータルを通して利用できる標準的な報告ツール及びオペレーションツールに対して加えることができる。
【０１００】
キャンペーンビルダーツールは、適切な特典を有する広告主が、（１）広告キャンペーンを作成できるようにする、（２）対象の表示面を特定できるようにする、及び、（３）視聴スロットを取得できるようにする。キャンペーンビルダーは、自動化されたワークフローを使用して、この定義及び承認プロセスにより広告主を案内する。
【０１０１】
広告キャンペーンを構築する第１のステップは、以下を含む重要なパラメータの定義を必要とする。
１．著者、タイトル、小売業者、商品カテゴリー、及び、対象の視聴者
２．コンテンツ及び格付け
３．金融ガバナンス：キャンペーンバジェット、日々の予算、最大入札価格、及び、平均入札価格
【０１０２】
その後、広告主は、その広告媒体コンテンツをキャンペーン定義にリンクすることができる。広告媒体コンテンツのメタデータは、適合する表示面の選択及び視聴スロットの取得において使用される。
【０１０３】
広告キャンペーンの定義が完了された時点で、広告キャンペーンは、承認のため及び広告主により規定される他の外部承認のためにサブミットされる。広告主は、キャンペーンを「準備する」、すなわち、選択される時間周期が処理されるときに評価されるように広告プラットフォームの論理エンジンに広告キャンペーンをロードすることにより、広告キャンペーン設計プロセスを完了する。
【０１０４】
図７において分かるように、内部広告論理フローは、キャンペーンビルダーユーザインタフェースを介して行われるオフラインプロセスと、結果としてそれぞれの動作中の表示面に対するそれぞれのプログラムブロックの各視聴スロットに広告媒体コンテンツを割り当てるリアルタイム入札／購入評価プロセスとに分けられる。広告主は、キャンペーンビルダーを使用することにより、キャンペーンのパラメータを規定するとともに、表示面の静的なほぼリアルタイムのプロファイル属性を用いて計算される表示関連性指数と検索エンジンとを使用して最適な表示面を特定する。広告キャンペーンパラメータ（入札タイプ、入札ガバナンス規則、及び、予算情報を含む）及び対象の表示面は、対象のプログラムブロックが近づいているときに、論理エンジンにより評価されるように入札プランに組み合わされて準備される。或いは、広告プランは、所定のレートシートプロセスを使用して、プログラムブロック内の視聴スロットを直ちに購入でき、この場合、トランザクションは、好ましくは、直ちに処理され、視聴スロットは、広告キャンペーンに割り当てられる。リアルタイムに、各プログラムブロックよりも先の所定の時間帯で、入札論理エンジンは、入札プランを評価して、プログラムブロックで視聴スロットを得る落札する広告キャンペーンを選択する。その後、広告論理エンジンは、そのプログラムブロック及び表示面のための広告配置リストを広告コントローラサブシステムに送る。
【０１０５】
視聴スロットが取得された或いはキャンペーン入札が準備された時点で広告キャンペーンを規定する最後のステップとして、その後、広告主は、その広告媒体コンテンツをキャンペーンにリンクする。
【０１０６】
広告主は、フリーテキストキーワード検索及びフィルタ（位置、解像度などの表示面タイプ及び属性、方向性、固定／移動、屋内／屋外、コンテンツ制限等）を使用して、特定の期間にわたって広告配置基準に最も適合する表示面のリスト、「必須」、「有益」、又は、「除外」として、並びに、ブロック期間、及び、視聴頻度としてランク付けされる−及び、それらの広告関連性スコアを用いてランク付けされるプログラムブロックを生成する。広告主は、これらの表示面を閲覧し、それらのプロファイルを見直すとともに、グループの、又は、個々の表示面を選択することができる。また、表示面ファインダは、キャンペーン必要性を満たす他の表示面又は一群の表示面も推奨する。
【０１０７】
プラットフォーム駆動される広告コンテンツを表示するための各表示面の利用可能性は、タイムスライスに相当するプログラムブロックに分けられ、タイムスライス内で、多くの広告「視聴スロット」が所定の継続時間にわたって表示される。初期設定により、プログラムブロックが５分に規定され、各視聴スロットが３０秒の継続時間を有する。これらのパラメータは表示面プロファイルの一部として規定される。視聴スロットは、以下の２つのモデル：（１）伝統的な所定のレートシートモデルを使用する、又は、（２）リアルタイム入札モデルを使用する、のうちの一方を使用して取得される。
【０１０８】
本発明のレートシートプロセスは、特定の表示面で標準的な視聴スロットにわたって固定された保証購入価格を広告主に与える。価格は、プラットフォームと広告主との間で予め取り決められ、或いは、過去と現在の市場状況とに基づいて予め決定される。また、広告プラットフォームは、入札／レート価格、季節的／位置的な要因、現時点の入札価格、キャンペーンの長さ、及び、規定されたスケジュールの開始前の残り時間値を使用して、レートシートをアルゴリズムで決定できる可能性も与える。特別な価格設定条件は、プログラムブロック内の様々な期間、又は、より高い広告配置頻度の視聴スロットに対して提供されてもよい。購入は、広告配置予約に変換するとともに、特定の継続時間にわたって表示面でタイムスロットをブロックする。
【０１０９】
本発明の入札プロセスは、広告主が入札パラメータ及びガバナンス規則を規定することにより自分達の広告キャンペーン目的を満たす表示面視聴スロットを探し求める入札モデルである。落札したキャンペーンの入札単価は、広告配置予約に変換するとともに、特定の継続時間にわたって表示面でタイムスロット（視聴スロット）をブロックする。
【０１１０】
入札プロセスは、以下の３つの価格モデルのうちの１つに基づくことが好ましい。
【０１１１】
１．ＣＰＩ（Cost per Impression）−インプレッション単価：キャンペーン結果及び広告主のコストは、有形のフィードバックを伴うことなく推定ウェブページ訪問者数に関して測定される。推定ウェブページ訪問者数は、履歴又は公式人口統計データのいずれかと、群衆データ又はリアルタイム視聴者監視データを使用することとに基づく。
【０１１２】
２．ＣＰＣ（Cost per Click）−クリック単価：キャンペーン結果及び広告主のコストは、プラットフォーム駆動される広告媒体コンテンツを経験する結果として作用した視聴者に関して測定される。ユーザアクションは、特定の電話番号に電話をかけることから、ＱＲコードを走査すること或いは広告媒体の画像を電子メールアドレスへ送ることにまで及び得る。
【０１１３】
３．ＣＰＡ（Cost per Acquisition）−取得単価：キャンペーン結果及び広告主のコストは、プラットフォーム駆動される広告媒体コンテンツを経験する結果として買い物をした視聴者に関して測定される。
【０１１４】
広告主は、入札タイプ（ＣＰＩ、ＣＰＣ、又は、ＣＰＡ）を選択するとともに、入札プラン（最低入札価格、最大入札価格、日々の予算制限、及び、条件）と、ガバナンス、すなわち、広告配置をそのコンテキストに関して制御する一組の規則（例えば、寒い日にはしない、キャンペーンＸＹＺの後にはしない、又は、Ｘ指定広告後にはしない）とを規定できる。入札は、それぞれの視聴スロットごとに又は各表示面のそれぞれのプログラムブロックごとに落札を決定して広告プラットフォームのための収益を最大にするために論理エンジンによってリアルタイムに評価される。論理エンジンは、選択された表示面の静的なプロファイル、並びに、表示面のＶＯＳによりリアルタイムに与えられる動的要因を考慮に入れる。表示面で実行するアプリケーションにより与えられるデータも考慮される。
【０１１５】
入札シミュレータは、入札の想定し得る結果を評価するために広告主によって使用される。付け値シミュレータは、履歴データに基づいて予期される広告値を計算して広告キャンペーンの予期される結果の定量化された表示を与えるために、キャンペーンパラメータ及び付け値パラメータ、選択された表示面、対象のプログラムブロック、及び、履歴データを使用する。
【０１１６】
広告主は、広告ポータルを通して利用できる一連のツールを使用して、自分達の広告キャンペーンをそれが準備された時点でリアルタイムに監視して制御する。
【０１１７】
ダッシュボード機能は、広告主により、ランニングコスト、実際の予算、入札パラメータと入札単価の比較、実際にキャプチャされた表示装置、及び、表示装置の属性に関して、キャンペーン、又は、複数のキャンペーンの進行をリアルタイムで監視、及び制御するために使用される。また、ダッシュボード機能は、キャンペーン結果の推定値を与えるために履歴データ及び現在のデータに基づいて連続した予測外挿も行う。また、ダッシュボードは、グローバルに、又は、表示面単位で又はプログラムブロック単位でキャンペーンを休止させる又は終了するための制御ももたらす。
【０１１８】
ダッシュボードデータは、広告主が環境設定ツールを介してそのニーズに適合できる一組のビューで与えられる。全ての監視データは、ＬＯＧＧＥＲ機能によって捕捉されて記憶される。また、広告主ダッシュボードは、以下を含む幾つかの重要なパラメータのレポートを生成するために使用される。
・表示面ごとの、表示面のグループごとの、又は、全体的なプレイアウトレポート
・各プログラムブロックのタイミング及びコンテキスト
・時間ごとの、表示面ごとの、表示面のグループごと、又は、プログラムブロックごとの推定された又は実際の結果（ＣＰＩ、ＣＰＣ、又は、ＣＰＡ）
・経時的なコスト
【０１１９】
各媒体資産及び各広告主は、再生されるもの、時期、及び、その関連するコストについての詳細なログを蓄積する。
【０１２０】
また、広告主は、カスタマイズされたレポートを作成するためにレポートカスタマイズツールも使用できる。レポートは、標準的なファイルフォーマットでエクスポートされる。
【０１２１】
プレイアウトレポートは、好ましくは特定のチャネル又はステーションでコマーシャルが発生するごとにリストアップするレポートであり、本発明の文脈では、本発明の広告プラットフォームによって制御される表示装置での特定の広告キャンペーンの各表示をリストアップするレポートのことである。
【０１２２】
本発明の解析機能は、ロガー機能により捕捉される広範なデータを使用して、レポートを生成するとともに、相関、傾向、並びに、コホート解析及び相関解析を行う。結果は、ウェブページを通じて見られるとともに、標準的なファイルフォーマットでエクスポートされ得る。
【０１２３】
広告主は、以下を含む自分達のプロファイル及び設定を管理するために広告ポータルを通して利用できるアカウント管理機能を使用する。
・ＩＤ概要
・認可されるアクセス装置
・購入及び行動履歴
・アラート
【０１２４】
広告主アカウントの非常に重要な要素は、限度を設定する又は支出を制御するために広告キャンペーンの設計及び実行において使用される支払情報である。
【０１２５】
表示面オペレータビューは、表示される広告媒体コンテンツのリアルタイムビュー、表示面動作状況の現在の状態、履歴的な技術性能指標、及び、プラットフォーム性能指標を含む、特定の表示面又は表示面のグループの性能及び状態に関連する全てのデータへのアクセスを与える。また、表示面オペレータビューは、媒体一時停止、終了、再起動、停止、及び、再開、並びに、組み込みプロセッサ停止及び再開を含む表示面の操作にリアルタイムに影響を及ぼすための多くの制御も与える。また、表示面オペレータは、収益履歴及び収益分与パラメータの見直しを含むそのアカウント及び設定を管理するために広告ポータルも使用する。
【０１２６】
プラットフォームオペレーションは、顧客経験の確保、登録及びコンテンツワークフローのサポート、及び、コンテンツ取り込みから表示面・広告主報告及び解析に至るまでのプラットフォームシステムの全ての構成要素の連続的なピーク性能動作に関与する。広告ポータルは、好ましくは、少なくとも以下のオペレーション機能をサポートする。
【０１２７】
１．オンボーディング管理者：資産登録ワークフローを見直して監督する。全ての資産登録データをそれが動作中のインベントリへと立ち上がる前に有効にする。資産に適用されるべき任意のカスタム人口統計メタタグを管理する。
【０１２８】
２．テックオプス：プラットフォームインフラストラクチャ及びディスプレイを積極的に監視して最適化する。ポータルからライブチャットで到達できる。
【０１２９】
３．価格管理者：ディスプレイ資産価格最適化を見直して管理する。レートシート及び入札アルゴリズム及びプロセス忠実性を見直して監督する。正当化されればオーバーライドできる。
【０１３０】
４．クリエイティブコラボレータ／承認者：自分達の目的を満たす広告を設計する広告主を支援する。ライブ使用のために提出された広告を見直し、有効にし、承認する。ポータルからライブチャットで到達できる。
【０１３１】
図６において分かるように、本発明の広告プラットフォームは、好ましくは、４つの主要な機能、すなわち、媒体コンテンツ管理、広告制御、広告配置、及び、報告を与える。自動化されたワークフローユーザインタフェースは、媒体コンテンツ管理サブシステムを介して処理されて記憶される広告媒体コンテンツを作成して管理するために使用される。キャンペーンビルダーユーザインタフェースは、レートシート又は入札機構を介して視聴スロットを取得するために広告キャンペーンの全てのパラメータ及び属性を規定するべく使用される。広告論理エンジンは、対象の表示面の表示関連性指数と共に広告キャンペーン情報を処理して、それぞれのプログラムブロックごとにキャンペーンを表示面に割り当てる。広告コントローラは、広告論理エンジンから広告配置情報を受信して、媒体コンテンツ管理システムから広告媒体コンテンツをフェッチするとともに、好ましくはリアルタイムタグを挿入するタグコントローラへ全てのデータを転送して、それぞれの対象の表示面ごとに媒体コンテンツをカスタマイズする。データロガーは、全てのリアルタイムな及びリアルタイムでない情報を捕捉して、時間タグ及び他の指標付けメタデータを付加するとともに、解析エンジンにより使用されるデータベースに全てのログ情報を記憶する。また、イベント相関関数は、広告キャンペーンを伴う広告媒体コンテンツを「経験すること」に応じた視聴者アクションによりもたらされるデータを相互に関連付けて、ＣＰＣ結果及びＣＰＡ結果を追跡して計算する。
【０１３２】
広告プラットフォームインフラストラクチャは、ミッションクリティカルなクラウドインフラストラクチャでホストされる以下の一組のサーバから構成される。
１．媒体コンテンツ管理
２．広告コントローラ
３．広告配置エンジン
４．ユーザ報告
５．アカウント管理
６．システム性能管理
これらのサーバは、最先端のソフトウェアアーキテクチャ及び実装技術を使用して高いサービス利用可能性及びスケーラビリティのために設計される。
【０１３３】
媒体コンテンツ管理（ＭＣＭ：Media Content Management）サブシステムは、媒体コンテンツ取り込みを扱うとともに、以下を含む自動化されたワークフローにより供給される全てのバックエンド機能を与える。
１．コンテンツアップロード
２．コンテンツ正規化及び適合
３．トランスコーディング及び派生物
４．ウォーターマーキング
５．ＤＲＭ
６．アプリケーションコンプライアンス及び有効化
【０１３４】
ＭＣＭは、全ての媒体コンテンツがＡＥＳ２５６により暗号化される間、セキュリティ保護されたＨＴＴＰＳを介して広告ポータルと通信する。より高いレベルのコンテンツセキュリティも考えられる（別の特許出願）。当初の媒体コンテンツ及びメザニンフォーマットは別個のブロブに記憶され、一方、派生フォーマット及びメタデータは別個のＮＯＳＱＬデータベースに記憶される。当初の媒体コンテンツ及びメザニンフォーマットは完全にＤＲＭされる。全ての媒体コンテンツ及びメタデータは記憶のために暗号化される（ＡＥＳ２５６）。コンテンツの記憶及びより容易に管理される標準化されたフォーマットへのコンテンツの正規化は、米国特許出願公開第１４／２１３，７２９号明細書、第１４／２１３，７７３号明細書、第１４／２１３，８１０号明細書、第１４／２１３，８７３号明細書、第１４／２１３，９１８号明細書、第１４／２１３，９５６号明細書、第１４／２１３，９８１号明細書、及び、第１４／２１４，０１７号明細書において十分に記載され、これらの出願は先に参照により組み入れられる。
【０１３５】
広告コントローラサブシステムは、広告配置結果に基づいて表示面を駆動する。広告ドライバーは、広告配置エンジンからの広告配置結果に基づいて取り込まれるコンテンツブロブから広告媒体コンテンツを検索して、それをタグコントローラへ送信する。全ての活動のログは、ロガー機能によって捕捉される。
【０１３６】
タグコントローラ機能は、広告ドライバーから広告媒体コンテンツを受信して、タグ及び他の固有の情報−ビジュアル情報又は他の情報を挿入する。タグコントローラは、全ての広告媒体コンテンツをパッケージ化して、それを対象の表示面に分配する。タグ及び固有の情報は、好ましくはそれぞれの表示されるコンテンツを固有のものにする特定の電話番号、ＵＲＬ又はＱＲコード、或いは、グラフィックスであってもよい。タグ及び固有の情報は、キャンペーンの実際の結果を計算するためにイベント相関関数により使用される。例えば、ＣＰＣキャンペーンの結果は、特定のタグを組み込む消費者アクションとそのタグを使用する表示面とを相互に関連付けることによって計算される。
【０１３７】
広告配置エンジンは、特定の表示面ビューサイクルに対する特定の広告キャンペーン媒体コンテンツの割り当てをもたらす全ての処理を行う。
【０１３８】
各表示は、プログラムブロックごとに、キャンペーン、又は、広告配置予約（今購入する）を介したＸ個の入札を有する。論理エンジンは、表示ごとにリアルタイムデータを使用してＸ時間にわたって広告配置リストを計算する（オフラインモードに関してキャッシュされる）。表示関連性は、適用可能なときにＣＰＩ、ＣＰＣ、及び、ＣＰＡ収益を最適化するべく考慮される。ガバナンス、付け値、及び、表示関連性は、共同して、プレイブロックごとにＸ数の広告配置付け値のうちの最良の定量化された広告配置スコアを決定する。
【０１３９】
次のＸ時間内のそれぞれのプログラムブロックごとに、動的なプロファイル値が静的なプロファイル値にオーバーレイされ、それにより、表示関連性指数を計算するために使用される「現在の」表示プロファイルが作成される。指数は、全ての表示プロファイルにわたる検索基準として表示面ファインダ入力を使用することにより計算される。それぞれのプロファイル属性適合が１つのスコアを有する。プロファイル属性は、複数の属性が検索基準目標を得るとき又は同様であるが直接に適合しない属性が見出されるときに、決定可能な検索基準の重要性に相関して動的に重み付けられるスコアを有する。プロファイルの属性スコアは、表示関連性指数を決定するために合計される。
【０１４０】
報告サブシステムは、適時の正確なレポートの生成をサポートし、リアルタイムなダッシュボードを駆動するとともに、解析ツールを供給する全てのバックエンドコンポーネントを組み込む。ロガー機能は、以下を含む本発明のシステムにより生成される全てのデータを捕捉して時間タグ付けする。
１．広告配置エンジン結果及び中間データ
２．対象の表示面と関連付けられるタグ及び固有の情報
３．表示装置により報告される実際のコンテンツ表示指標
４．アプリケーションにより使用される全てのデータフィード及びセンサデータ
５．実際のデータが報告される又はダッシュボードされる視聴者アクション
６．プラットフォームオペレーションにより監視される重要な性能指標及びアラート
【０１４１】
全てのデータは、好ましくは、付属の二次長期記憶装置を有する高可用性ＳＱＬデータベースにリアルタイムに捕捉されて指標付けされる。
【０１４２】
解析エンジンは、ロガーにより捕捉されるデータの解析を行うために報告機能及びダッシュボード機能によって使用される。解析エンジンの重要な機能は、ＣＰＩ、ＣＰＣ、及び、ＣＰＡ結果指標を計算して、請求書作成エンジンにより使用される実証データを収集することである。イベント相関エンジン（ＥＣＥ：Event Correlation Engine）は、好ましくは、視聴者データ、フィードバック、及び、アクションを受信して、固有のタグ又は他の追跡機構と関係して相関する。この相関データは、ＣＰＩ、ＣＰＣ、及び、ＣＰＡ結果指標を計算するために解析エンジンにより使用される。
【０１４３】
アカウント管理サブシステムは、好ましくは、ログイン有効化、アクセス制御及び認証、アクティビティ追跡、及び、ペイメントゲートウェイを介したセキュリティ保護された支払処理を含むユーザアカウントの作成及び管理に関連する全てのタスクを実行する。
【０１４４】
システム性能管理は、好ましくは、プラットフォームオペレーションにより求められる全てのシステム性能指標及びアラートを収集して処理する。システム性能管理は最低限として以下を含む。
・各インフラストラクチャサブシステムの性能指標
・それぞれの動作中の表示面の状態及び性能指標
・顧客サポートチャット
・知識ベース
・顧客サポートトラブルチケット管理
【０１４５】
当業者であれば分かるように、本発明の範囲から逸脱することなく、様々な変更がなされてもよく、また、等価物が要素と置き換えられてもよい。また、本発明の範囲から逸脱することなく、特定の特徴又は材料を本発明の教示内容に適合させるために多くの変更がなされてもよい。したがって、本発明が開示された特定の実施形態に限定されず、本発明が特許請求の範囲内に入る全ての実施形態を含むことが意図される。
【図１】
2017527010.tif 000003
【図２】
2017527010.tif 000004
【図３】
2017527010.tif 000005
【図４】
2017527010.tif 000006
【図５】
2017527010.tif 000007
【図６】
2017527010.tif 000008
【図７】
2017527010.tif 000009
【図８】
2017527010.tif 000010
【国際調査報告】
2017527010.tif 000011